(57)【要約】【課題】工期を短縮でき、施工コストを抑制することができる地下設備用屋根の構築方法および地下タンクの施工方法を提供する。【解決手段】地下に設置される設備１０の屋根１６を構築する方法であって、設備１０の底版１４のコンクリートを打設した後の養生中に屋根１６を構築するために、予め底版１４に屋根構築用の架台１８を埋め込んでおき、底版１４のコンクリートの養生と並行して架台１８上で屋根１６を構築するようにする。【選択図】図１
2017053120.tif 000002
【特許請求の範囲】
【請求項１】
地下に設置される設備の屋根を構築する方法であって、
前記設備の底版のコンクリートを打設した後の養生中に前記屋根を構築するために、予め前記底版に屋根構築用の架台を埋め込んでおき、前記底版のコンクリートの養生と並行して前記架台上で前記屋根を構築することを特徴とする地下設備用屋根の構築方法。
【請求項２】
地下に設置される設備の屋根を構築する方法であって、
予め屋根構築用の支持部材を前記設備の山留め壁または側壁に設けておくとともに、予め前記設備の底版設置予定箇所に柱部材を建て込んでおき、前記柱部材と前記支持部材との間で前記屋根を構築することを特徴とする地下設備用屋根の構築方法。
【請求項３】
請求項１または２に記載の地下設備用屋根の構築方法を用いて地下タンクとしての前記設備を施工することを特徴とする地下タンクの施工方法。
【発明の詳細な説明】
【技術分野】
【０００１】
本発明は、例えばＬＮＧ地下タンクなどの地下埋設設備に備わる鋼製の地下設備用屋根の構築方法およびこの方法を用いた地下タンクの施工方法に関するものである。
【背景技術】
【０００２】
従来、ＬＮＧ地下タンクのような地下タンクを施工する方法として、例えば特許文献１〜７に示すような方法が知られている。
【０００３】
特許文献１に示される方法は、地下タンク上部の開口部を被う屋根を施工する際に、地下タンク築造後に、タンク底部側で屋根を築造し、この屋根の築造後にタンク内に水を供給し、水の上部に設けた空気層に作用する浮力で屋根を所定部位まで持上げて、タンク上部に取付けるものである。
【０００４】
特許文献２に示される方法は、槽体外枠としての連続地中壁を施工した後、地上部に屋根躯体構築所と屋根躯体のトラベリング面となるコンクリートマットを敷設し、連続地中壁内部掘削、槽体側壁構築作業とマット上での屋根外周構造部のテンションリングと一体で内装をも済ませる屋根躯体構築とを並行して行い、側壁工事が完了した時点で屋根躯体を水平トラベリングして側壁上に移動させ現場打設接続にて一体化するものである。
【０００５】
特許文献３に示される方法は、地下タンク上部の開口部を被う屋根を施工する際に、地表側で屋根を分割した複数個の屋根素体を予め製作し、各屋根素体を、地表側より開口部方向に延長するレールを介して、開口部側までガイドして屋根として組み立てるものである。
【０００６】
特許文献４に示される方法は、地下タンク築造予定地の周りに互に所定間隔を隔てて複数設置された昇降部材でトラスを支持した上で、トラスを上昇させて、このトラスの上にコンクリートを打設して屋根を築造しつつ、各昇降部材間に形成されるスペースを出入口として利用して、トラス下部側の地盤を掘削し、底版および側壁を形成するものである。
【０００７】
特許文献５に示される方法は、地下タンク上部の開口部を被う地下タンクの屋根を施工する際に、開口部側にトラスを設け、このトラスの下部側に型枠を配設し、この型枠にコンクリートを打設して地下タンクの屋根を作るものである。
【０００８】
特許文献６に示される方法は、地下タンクの建築個所の地中に平面視で筒状の地下連続壁を形成し、地下連続壁の内側に鉄筋コンクリート造の地下タンクの底板および周囲壁を形成し、周囲壁の上側に地下タンクの鉄筋コンクリート造の屋根を形成し、屋根の上側に土を載せて埋設型とするものである。
【０００９】
特許文献７に示される方法は、地表から地盤を掘削してその内側に本体部を施工するとともに、その近傍の地表において屋根部を同時に施工し、本体部を水密保持可能な状態に形成したらその内部に水を満たして水面が地表面と同レベルとなるようにし、屋根部の外周縁部に地表面との間の隙間を塞ぐスカート部材を装着して加圧装置によりその内部に空気を吹込み、空気圧により屋根部をホバークラフトのように地表面からわずかに浮上せしめ、その状態で屋根部を本体部の上方に移送して、本体部の上部に連結するものである。
【先行技術文献】
【特許文献】
【００１０】
【特許文献１】特開２０００−８０６６６号公報
【特許文献２】特開２００２−４６２７号公報
【特許文献３】特開２０００−９６５８７号公報
【特許文献４】特開２０００−８７３７１号公報
【特許文献５】特開２０００−８７４９４号公報
【特許文献６】特開平１０−２３７８８６号公報
【特許文献７】特開平１０−６１２４５号公報
【発明の概要】
【発明が解決しようとする課題】
【００１１】
ところで、上記の従来の特許文献１のような地下タンクの施工方法においては、図３に示すように、地盤Ｇ中の地中連続壁１に設けた側壁２を有するタンク３の蓋に相当する鋼製屋根４を、タンク底版５のコンクリート打設および養生が終了した後に、この底版５上でベント６を用いて構築する。この場合、底版５の構築→屋根４の構築の順序で施工することから、工期が掛かりコストアップの要因となっていた。このため、こうした順序で施工する地下設備において、工期をより短縮することのできる施工方法の開発が求められていた。
【００１２】
本発明は、上記に鑑みてなされたものであって、工期を短縮でき、施工コストを抑制することができる地下設備用屋根の構築方法および地下タンクの施工方法を提供することを目的とする。
【課題を解決するための手段】
【００１３】
上記した課題を解決し、目的を達成するために、本発明に係る地下設備用屋根の構築方法は、地下に設置される設備の屋根を構築する方法であって、前記設備の底版のコンクリートを打設した後の養生中に前記屋根を構築するために、予め前記底版に屋根構築用の架台を埋め込んでおき、前記底版のコンクリートの養生と並行して前記架台上で前記屋根を構築することを特徴とする。
【００１４】
また、本発明に係る他の地下設備用屋根の構築方法は、地下に設置される設備の屋根を構築する方法であって、予め屋根構築用の支持部材を前記設備の山留め壁または側壁に設けておくとともに、予め前記設備の底版設置予定箇所に柱部材を建て込んでおき、前記柱部材と前記支持部材との間で前記屋根を構築することを特徴とする。
【００１５】
また、本発明に係る地下タンクの施工方法は、上述した地下設備用屋根の構築方法を用いて地下タンクとしての前記設備を施工することを特徴とする。
【発明の効果】
【００１６】
本発明に係る地下設備用屋根の構築方法によれば、地下に設置される設備の屋根を構築する方法であって、前記設備の底版のコンクリートを打設した後の養生中に前記屋根を構築するために、予め前記底版に屋根構築用の架台を埋め込んでおき、前記底版のコンクリートの養生と並行して前記架台上で前記屋根を構築するので、底版のコンクリートの養生終了を待たずして屋根の構築に取り掛かることができる。したがって、地下設備の施工期間を短縮でき、施工コストを抑制することができるという効果を奏する。
【００１７】
また、本発明に係る他の地下設備用屋根の構築方法によれば、地下に設置される設備の屋根を構築する方法であって、予め屋根構築用の支持部材を前記設備の山留め壁または側壁に設けておくとともに、予め前記設備の底版設置予定箇所に柱部材を建て込んでおき、前記柱部材と前記支持部材との間で前記屋根を構築するので、内部掘削および底版の構築作業と並行して屋根の構築作業を行うことができる。したがって、地下設備の施工期間を短縮でき、施工コストを抑制することができるという効果を奏する。
【００１８】
また、本発明に係る地下タンクの施工方法によれば、上述した地下設備用屋根の構築方法を用いて地下タンクとしての前記設備を施工するので、地下タンクの施工期間を短縮でき、施工コストを抑制することができるという効果を奏する。
【図面の簡単な説明】
【００１９】
【図１】図１は、本発明に係る地下設備用屋根の構築方法および地下タンクの施工方法の実施の形態１を示す縦断面図である。
【図２】図２は、本発明に係る地下設備用屋根の構築方法および地下タンクの施工方法の実施の形態２を示す縦断面図である。
【図３】図３は、従来の地下タンクの鋼製屋根の構築方法を示す縦断面図である。
【発明を実施するための形態】
【００２０】
以下に、本発明に係る地下設備用屋根の構築方法および地下タンクの施工方法の実施の形態を図面に基づいて詳細に説明する。なお、以下においては、地下設備がＬＮＧ貯蔵用の地下タンクである場合を例にとり説明するが、この実施の形態によりこの発明が限定されるものではない。
【００２１】
（実施の形態１）
本発明の実施の形態１について説明する。
図１に示すように、まず、地盤Ｇに略円筒状の地下タンク１０（設備）の外周側壁をなす地中連続壁１２を築造し、地中連続壁１２によって囲まれた内部を掘削して、掘削底部にコンクリートまたは鉄筋コンクリートからなる底版１４を構築する。
【００２２】
ここで、本実施の形態１においては、底版１４のコンクリートを打設した後の養生中に屋根１６を構築できるようにするために、コンクリート打設前に予め底版１４の上層となる部分に屋根構築用の架台１８の基部を埋め込んでおく。この状態で底版１４のコンクリート打設し、コンクリート上面に養生シート２０を設けて養生を実施する。一方、この養生と並行して、すなわちコンクリート養生期間中に架台１８上で屋根１６を構築する。この屋根１６を上方に揚重することで所定の位置に屋根を構築することが可能である。
【００２３】
屋根１６は、例えばドーム状の鋼製屋根や鉄筋コンクリート製屋根などにより構成することができる。屋根１６の下面側は、架台１８で接離自在に支持可能な構造とすることが好ましい。
【００２４】
架台１８は、例えば底版１４より上方に向けて延在する鋼管などからなるベント２２の一部を利用して構成することができる。この場合、ベント２２の下部に鋼材２４を連結し、架台１８の基部をなすこの鋼材２４部分が底版１４の上層内部に埋め込まれるようにしてもよい。また、横方向に所定間隔をあけてベント２２を複数配置し、各下部どうしを鋼材等の連結部材２６で連結することにより架台１８を構成してもよい。
【００２５】
このように、本実施の形態によれば、底版１４のコンクリート養生期間中に、底版１４に基部を埋設した架台１８の上方で屋根１６を構築するので、底版１４のコンクリートの養生期間満了を待たずして屋根１６の構築に取り掛かることができる。したがって、地下タンク１０の施工期間を短縮でき、施工コストを抑制することができるという効果を奏する。
【００２６】
なお、屋根１６の構築開始は、コンクリート打設後に限るものではなく、架台１８の基部を底版１４の上層に埋め込み設置し終えた後であれば何時でも可能である。例えばコンクリート打設直前または打設中に屋根１６の構築を開始してもよい。
【００２７】
（実施の形態２）
次に、本発明の実施の形態２について説明する。
図２に示すように、まず、地盤Ｇに略円筒状の地下タンク１００（設備）の外周側壁をなす地中連続壁１２を築造し、地中連続壁１２によって囲まれた内部を掘削していく。
【００２８】
ここで、本実施の形態２においては、地下タンク側壁を逆巻きコンクリートで施工するものとする。施工途中の逆巻きコンクリート３２（側壁）に予め屋根構築用の鋼材３０（支持部材）を埋め込み設置しておく。鋼材３０は逆巻きコンクリート３２から地下タンク１００の内側に向けて水平に突出する態様とし、逆巻きコンクリート３２の周方向の所定間隔に複数配置する。
【００２９】
一方、内部掘削段階にある地下タンク１００の底版設置予定箇所３４の中央に、予め中央柱３６（柱部材）を建て込んでおく。図中、符号４２は底版の上面となる位置を示している。中央柱３６は、地下タンク１００の軸心において上下に延在する鋼製の柱であり、その下端は地中連続壁１２の下端の深さ、上端は地表面近傍の高さになっている。この中央柱３６は、タワークレーン用の柱としても使用できる。中央柱３６の高さ方向略中央の位置には、屋根支持用の鋼材３８が設けられている。鋼材３８は中央柱３６から側方に向けて水平に突出しており、中央柱３６の周方向の所定間隔に複数設置される。
【００３０】
この状態で、中央柱３６と鋼材３０との間に、ドーム状の屋根を平面視で扇状に分割した屋根要素４０（屋根）を架け渡す。より具体的には、この屋根要素４０の内縁端部を中央柱３６の鋼材３８上に載置するとともに、外縁端部を鋼材３０上に載置する。各屋根要素４０を周方向に隣接配置することで、中央柱３６と鋼材３０との間にドーム状の屋根を形成することができる。この屋根を中央柱３６に沿って上方に揚重することで所定の位置に屋根を構築することが可能である。
【００３１】
屋根要素４０は、例えば鋼製の屋根要素や鉄筋コンクリート製の屋根要素などにより構成することができる。屋根要素４０の下面の内縁端部、外縁端部は、鋼材３８、鋼材３０で接離自在に支持可能な構造とすることが好ましい。
【００３２】
このように、本実施の形態によれば、中央柱３６に設けた鋼材３８と、側壁をなす逆巻きコンクリート３２に設けた鋼材３０との間に屋根要素４０を架け渡すことで屋根を構築するので、地下タンク１００の内部掘削作業および底版の構築作業と並行して屋根の構築作業を行うことができる。この場合、例えば、昼間は内部掘削作業と底版の構築作業を行い、夜間は屋根の構築作業を行うという具合に、各作業の実施時期を時間帯で分けて施工してもよい。こうすることで、地下タンク１００の施工期間を短縮でき、施工コストを抑制することができるという効果を奏する。
【００３３】
また、上記の実施の形態において、屋根構築用の鋼材３０（支持部材）は地中連続壁１２に埋込み設置しておいてもよい。その際も逆巻きコンクリート３２に鋼材３０を設置した場合と同じ効果が得られ、底版、側壁は順巻で施工可能となる。
【００３４】
さらに、底版、側壁を順巻で施工する場合に、鋼材３０を山留め壁（地中連続壁）または側壁に、中央柱３６を底版に設置して施工することが可能である。その際も側壁の施工と屋根の施工が同時期に完了するようにすれば施工期間を短縮し、施工コストを抑制することができ、従来の施工方法にはない中央柱３６に沿って上方に揚重することで所定の位置に屋根を構築することが可能になる。
【００３５】
以上説明したように、本発明に係る地下設備用屋根の構築方法によれば、地下に設置される設備の屋根を構築する方法であって、前記設備の底版のコンクリートを打設した後の養生中に前記屋根を構築するために、予め前記底版に屋根構築用の架台を埋め込んでおき、前記底版のコンクリートの養生と並行して前記架台上で前記屋根を構築するので、底版のコンクリートの養生終了を待たずして屋根の構築に取り掛かることができる。したがって、地下設備の施工期間を短縮でき、施工コストを抑制することができる。
【００３６】
また、本発明に係る他の地下設備用屋根の構築方法によれば、地下に設置される設備の屋根を構築する方法であって、予め屋根構築用の支持部材を前記設備の山留め壁または側壁に設けておくとともに、予め前記設備の底版設置予定箇所に柱部材を建て込んでおき、前記柱部材と前記支持部材との間で前記屋根を構築するので、内部掘削および底版の構築作業と並行して屋根の構築作業を行うことができる。したがって、地下設備の施工期間を短縮でき、施工コストを抑制することができる。
【００３７】
また、本発明に係る地下タンクの施工方法によれば、上述した地下設備用屋根の構築方法を用いて地下タンクとしての前記設備を施工するので、地下タンクの施工期間を短縮でき、施工コストを抑制することができる。
【産業上の利用可能性】
【００３８】
以上のように、本発明に係る地下設備用屋根の構築方法および地下タンクの施工方法は、例えばＬＮＧ地下タンクなどの屋根を備える地下埋設設備の施工に有用であり、特に、工期を短縮して施工コストを抑制するのに適している。
【符号の説明】
【００３９】
１０，１００  地下タンク（設備）
１２  地中連続壁
１４  底版
１６  屋根
１８  架台
２０  養生シート
２２  ベント
２４  鋼材
２６  連結部材
３０  鋼材（支持部材）
３２  逆巻きコンクリート（側壁）
３４  底版設置予定箇所
３６  中央柱（柱部材）
３８  鋼材
４０  屋根要素（屋根）
Ｇ  地盤
【図１】
2017053120.tif 000003
【図２】
2017053120.tif 000004
【図３】
2017053120.tif 000005